【手続補正書】
【提出日】平成28年9月29日(2016.9.29)
【手続補正１】
【補正対象書類名】明細書
【補正対象項目名】０００７
【補正方法】変更
【補正の内容】
【０００７】
上記課題を解決するために、請求項１に記載の発明は、移動体の現在位置に関する情報である現在位置情報を取得する位置取得部と、前記位置取得部が取得した前記現在位置における検知部が検知した明るさの度合いに関する情報である明るさ情報を取得する明るさ情報取得部と、前記明るさ情報に基づいて生成された明暗を識別する情報である明暗識別情報を前記現在位置情報とともに明暗識別情報記憶部に出力する第１出力部と、を有することを特徴としている。
【手続補正２】
【補正対象書類名】明細書
【補正対象項目名】０００８
【補正方法】変更
【補正の内容】
【０００８】
請求項７に記載の発明は、所定位置における明暗を識別する情報である明暗識別情報を前記所定位置の位置情報とともに取得する明暗識別情報取得部と、前記明暗識別情報を、当該明暗識別情報とともに取得した前記位置情報に関連付けて記憶する明暗識別情報記憶部と、前記明暗識別情報記憶部に記憶した前記明暗識別情報に基づいて、前記位置情報に示されている位置の明暗を判定する明暗判定部と、を有することを特徴としている。
【手続補正３】
【補正対象書類名】明細書
【補正対象項目名】０００９
【補正方法】変更
【補正の内容】
【０００９】
請求項１２に記載の発明は、移動体に関する情報を取得する情報取得装置の情報取得方法であって、前記移動体の現在位置に関する情報である現在位置情報を取得する位置取得工程と、前記位置取得工程で取得した前記現在位置における検知部が検知した明るさの度合いに関する情報である明るさ情報を取得する明るさ情報取得工程と、前記明るさ情報に基づいて生成された明暗を識別する情報である明暗識別情報を前記現在位置情報とともに明暗識別情報記憶部に出力する第１出力工程と、を含むことを特徴としている。
【手続補正４】
【補正対象書類名】明細書
【補正対象項目名】００１２
【補正方法】変更
【補正の内容】
【００１２】
請求項１５に記載の発明は、位置情報に関する処理をする情報処理装置の情報処理方法であって、所定位置における明暗を識別する情報である明暗識別情報を前記所定位置の位置情報とともに取得する明暗識別情報取得工程と、前記明暗識別情報を、当該明暗識別情報とともに取得した前記位置情報に関連付けて明暗識別情報記憶部に記憶する明暗識別情報記憶工程と、前記明暗識別情報記憶部に記憶した前記明暗識別情報に基づいて、前記位置情報に示されている位置の明暗を判定する明暗判定工程と、を含むことを特徴としている。
【手続補正５】
【補正対象書類名】特許請求の範囲
【補正対象項目名】全文
【補正方法】変更
【補正の内容】
【特許請求の範囲】
【請求項１】
移動体の現在位置に関する情報である現在位置情報を取得する位置取得部と、
前記位置取得部が取得した前記現在位置における検知部が検知した明るさの度合いに関する情報である明るさ情報を取得する明るさ情報取得部と、
前記明るさ情報に基づいて生成された明暗を識別する情報である明暗識別情報を前記現在位置情報とともに明暗識別情報記憶部に出力する第１出力部と、
を有することを特徴とする情報取得装置。
【請求項２】
前記第１出力部は、前記明るさ情報が予め定めた所定の閾値以上の明るさであるか、若しくは前記所定の閾値以下の明るさであるかに基づいて前記明暗識別情報を生成することを特徴とする請求項１に記載の情報取得装置。
【請求項３】
現在の時刻を取得する現時刻取得部と、
前記現時刻取得部が取得した前記現在の時刻が日没から日の出までの期間であるかを判定する日没判定部と、を更に有し、
前記第１出力部は、前記日没判定部が日没から日の出までの期間と判定した時刻に前記明るさ情報取得部が取得した前記明るさ情報に基づく前記明暗識別情報を出力することを特徴とする請求項１または２に記載の情報取得装置。
【請求項４】
前記明るさ情報取得部は、予め定めた所定距離間隔で前記明るさ情報を取得することを特徴とする請求項１乃至３のうちいずれか一項に記載の情報取得装置。
【請求項５】
地図情報が記憶されている第１地図情報記憶部を更に有し、
前記明るさ情報取得部は、第１地図情報記憶部に記憶されている前記地図情報に基づいて前記明るさ情報を取得することを特徴とする請求項１乃至３のうちいずれか一項に記載の情報取得装置。
【請求項６】
前記明るさ情報を取得する位置に関する情報である取得位置情報を取得する取得位置取得部を更に有し、
前記明るさ情報取得部は、前記位置取得部が取得した前記現在位置と前記取得位置取得部が取得した前記取得位置情報とに基づいて前記明るさ情報を取得する、
ことを特徴とする請求項１乃至３のうちいずれか一項に記載の情報取得装置。
【請求項７】
所定位置における明暗を識別する情報である明暗識別情報を前記所定位置の位置情報とともに取得する明暗識別情報取得部と、
前記明暗識別情報を、当該明暗識別情報とともに取得した前記位置情報に関連付けて記憶する明暗識別情報記憶部と、
前記明暗識別情報記憶部に記憶した前記明暗識別情報に基づいて、前記位置情報に示されている位置の明暗を判定する明暗判定部と、
を有することを特徴とする情報処理装置。
【請求項８】
前記明暗識別情報記憶部に記憶された前記明暗識別情報に基づいて前記明暗識別情報を取得する位置を決定する決定部と、
前記決定部が決定した前記明暗識別情報を取得する位置に関する情報である取得位置情報を出力する第２出力部と、
を更に有することを特徴とする請求項７に記載の情報処理装置。
【請求項９】
前記決定部は、所定範囲における前記明暗識別情報の数に基づいて前記明暗識別情報を取得する位置に決定することを特徴とする請求項８に記載の情報処理装置。
【請求項１０】
前記決定部は、特定位置における前記明暗識別情報の数に基づいて当該特定位置を前記明暗識別情報を取得する位置または取得しない位置に決定することを特徴とする請求項８に記載の情報処理装置。
【請求項１１】
目的地を取得する目的地取得部と、
地図情報を記憶する第２地図情報記憶部と、
前記明暗判定部が判定した結果と前記第２地図情報記憶部に記憶されている前記地図情報とに基づいて前記目的地までの経路を探索する探索部と、
を更に有していることを特徴とする請求項７乃至１０のうちいずれか一項に記載の情報処理装置。
【請求項１２】
移動体に関する情報を取得する情報取得装置の情報取得方法であって、
前記移動体の現在位置に関する情報である現在位置情報を取得する位置取得工程と、
前記位置取得工程で取得した前記現在位置における検知部が検知した明るさの度合いに関する情報である明るさ情報を取得する明るさ情報取得工程と、
前記明るさ情報に基づいて生成された明暗を識別する情報である明暗識別情報を前記現在位置情報とともに明暗識別情報記憶部に出力する第１出力工程と、
を含むことを特徴とする情報取得装置の情報取得方法。
【請求項１３】
請求項１２に記載の情報取得方法を、コンピュータにより実行させることを特徴とする情報取得プログラム。
【請求項１４】
請求項１３に記載の情報取得プログラムを格納したことを特徴とするコンピュータ読み取り可能な記録媒体。
【請求項１５】
位置情報に関する処理をする情報処理装置の情報処理方法であって、
所定位置における明暗を識別する情報である明暗識別情報を前記所定位置の位置情報とともに取得する明暗識別情報取得工程と、
前記明暗識別情報を、当該明暗識別情報とともに取得した前記位置情報に関連付けて明暗識別情報記憶部に記憶する明暗識別情報記憶工程と、
前記明暗識別情報記憶部に記憶した前記明暗識別情報に基づいて、前記位置情報に示されている位置の明暗を判定する明暗判定工程と、
を含むことを特徴とする情報処理装置の情報処理方法。
【請求項１６】
請求項１５に記載の情報処理方法を、コンピュータにより実行させることを特徴とする消耗度表示プログラム。
【請求項１７】
請求項１６に記載の情報処理プログラムを格納したことを特徴とするコンピュータ読み取り可能な記録媒体。